(57)【要約】【課題】太陽電池モジュールの固定作業の簡便化を図ることのできる荷揚げ機の荷台を得ること。【解決手段】荷揚げ機の荷台１０であって、太陽電池モジュール２０の受光面２０ａと平行に延びて、太陽電池モジュール２０を裏面側から支持する支持面２ｃを有する支持部２と、太陽電池モジュール２０が載置される載置部４と、を備え、支持部２の上端には載置部４側に向けて延びる切欠２ａが形成され、切欠２ａに差し込まれて、太陽電池モジュール２０を支持部２に対して固定する固定具３をさらに備え、固定具３は、支持面２ｃと対向し、支持面２ｃとの間に太陽電池モジュール２０を挟み込む対向部３ａと、切欠２ａを貫通する貫通部３ｂと、貫通部３ｂに対して突出形成され、支持部２に対して支持面２ｃの裏面側に引っ掛かって固定具３が切欠２ａから抜け落ちることを規制する引っ掛かり部３ｃと、を有する。【選択図】図５
2015221975.tif 000002
【特許請求の範囲】
【請求項１】
太陽電池モジュールを荷揚げする荷揚げ機の荷台であって、
荷揚げされる前記太陽電池モジュールの受光面と平行に延びて、前記太陽電池モジュールを前記受光面側またはその裏面側から支持する支持面を有する支持部と、
前記支持部の前記支持面側に立設されて、前記太陽電池モジュールの一側面を当接させて前記太陽電池モジュールが載置される載置部と、を備え、
前記支持部のうち、前記支持面を挟んで前記載置部の反対側となる端部には、前記太陽電池モジュールを挟んだ両側となる位置に、前記載置部側に向けて延びる切欠が形成され、
前記切欠に差し込まれて、前記太陽電池モジュールを前記支持部に対して固定する固定具をさらに備え、
前記固定具は、
前記支持面と対向し、前記支持面との間に前記太陽電池モジュールを挟み込む対向部と、
前記対向部の両側から前記支持面側に向けて延びて前記切欠を貫通する貫通部と、
前記支持面側から見た場合に、前記貫通部に対して前記太陽電池モジュールから離れる方向に突出形成され、前記支持部に対して前記支持面の裏面側に引っ掛かって前記固定具が前記切欠から抜け落ちることを規制する引っ掛かり部と、を有することを特徴とする荷揚げ機の荷台。
【請求項２】
太陽電池モジュールを荷揚げする荷揚げ機の荷台であって、
荷揚げされる前記太陽電池モジュールの受光面と平行に延びて、前記太陽電池モジュールを前記受光面側またはその裏面側から支持する支持面を有する支持部と、
前記支持部の前記支持面側に立設されて、前記太陽電池モジュールの一側面を当接させて前記太陽電池モジュールが載置される載置部と、を備え、
前記支持部には、前記太陽電池モジュールを挟んだ両側となる位置に貫通孔が形成され、
前記貫通孔に差し込まれて、前記太陽電池モジュールを前記支持部に対して固定する固定具をさらに備え、
前記固定具は、
前記支持面と対向し、前記支持面との間に前記太陽電池モジュールを挟み込む対向部と、
前記対向部の両側から前記支持面側に向けて延びて前記貫通孔を貫通する貫通部と、
前記支持面側から見た場合に、前記貫通部に対して前記太陽電池モジュールから離れる方向に突出形成され、前記支持部に対して前記支持面の裏面側に引っ掛かって前記固定具が前記切欠から抜け落ちることを規制する引っ掛かり部と、を有し、
前記貫通孔は、前記引っ掛かり部と前記貫通部とが貫通可能な幅で形成され、
前記支持部には、前記貫通孔から前記載置部側に延びるように形成されて、前記貫通孔に貫通された前記貫通部を前記載置部側にスライド移動可能とするスライド用切欠が形成され、
前記スライド用切欠は、前記引っ掛かり部と前記貫通部とが貫通できない幅で形成されることを特徴とする荷揚げ機の荷台。
【請求項３】
太陽電池モジュールを荷揚げする荷揚げ機の荷台であって、
荷揚げされる前記太陽電池モジュールの受光面と平行に延びて、前記太陽電池モジュールを前記受光面側またはその裏面側から支持する支持面を有する支持部と、
前記支持部の前記支持面側に立設されて、前記太陽電池モジュールの一側面を当接させて前記太陽電池モジュールが載置される載置部と、を備え、
前記支持部のうち、前記支持面を挟んで前記載置部の反対側となる端部には、前記太陽電池モジュールを挟んだ両側となる位置に、前記載置部側に向けて延びる切欠が形成され、
前記支持部には、前記太陽電池モジュールを挟んだ両側となる位置に貫通孔が形成され、
前記切欠または前記貫通孔に差し込まれて、前記太陽電池モジュールを前記支持部に対して固定する固定具をさらに備え、
前記固定具は、
前記支持面と対向し、前記支持面との間に前記太陽電池モジュールを挟み込む対向部と、
前記対向部の両側から前記支持面側に向けて延びて前記切欠または前記貫通孔を貫通する貫通部と、
前記支持面側から見た場合に、前記貫通部に対して前記太陽電池モジュールから離れる方向に突出形成され、前記支持部に対して前記支持面の裏面側に引っ掛かって前記固定具が前記切欠から抜け落ちることを規制する引っ掛かり部と、を有し、
前記貫通孔は、前記引っ掛かり部と前記貫通部とが貫通可能な幅で形成され、
前記支持部には、前記貫通孔から前記載置部側に延びるように形成されて、前記貫通孔に貫通された前記貫通部を前記載置部側にスライド移動可能とするスライド用切欠が形成され、
前記スライド用切欠は、前記引っ掛かり部と前記貫通部とが貫通できない幅で形成されることを特徴とする荷揚げ機の荷台。
【請求項４】
前記対向部と前記引っ掛かり部との距離から前記支持部の厚さを差し引いた長さは、前記太陽電池モジュールの２枚の厚さよりも大きいことを特徴とする請求項１から３のいずれか１つに記載の荷揚げ機の荷台。
【請求項５】
前記貫通部の貫通方向に沿って複数の前記引っ掛かり部が並べて形成されていることを特徴とする請求項１から３のいずれか１つに記載の荷揚げ機の荷台。
【発明の詳細な説明】
【技術分野】
【０００１】
本発明は、荷揚げ機の荷台に関する。
【背景技術】
【０００２】
近年、環境負荷の少ない太陽光発電システムが注目されている。それに伴い、節電や省エネルギーの観点から住宅用の太陽光発電システムを設置する家屋が拡大傾向にある。住宅用の太陽光発電システムは、家屋の屋根に取り付けられることが多い。そのため、太陽電池モジュールおよびその施工に必要な部材を、地表から屋根上面へ搬送する必要がある。太陽電池モジュールは、その大きさや質量を考慮して、荷揚げ機を用いて屋根上面に搬送されることが一般的である。
【０００３】
一般的な荷揚げ機は、地表から屋根上面との間に掛けた梯子に沿って荷台をスライド移動させる（例えば、特許文献１を参照）。荷台は、梯子に沿ってスライド移動することで、地表と屋根上面との間を移動することができる。地表側で太陽電池モジュールを荷台に載置してから荷台を屋根上面に向けて移動させることで、太陽電池モジュールを屋根上面に搬送することができる。
【先行技術文献】
【特許文献】
【０００４】
【特許文献１】実用新案登録第３１７３４９６号公報
【発明の概要】
【発明が解決しようとする課題】
【０００５】
このような荷揚げ機の荷台では、載置された太陽電池モジュールの落下を防止するために、荷台に太陽電池モジュールを固定する必要がある。また、太陽電池モジュールを屋根上面へ設置する作業では、太陽電池モジュールを屋根上面に搬送する作業が複数回行われる。そのため、太陽電池モジュールを屋根上面へ設置する作業において、作業時間の短縮化や作業負担の軽減を図るために、荷台への太陽電池モジュールの固定作業の簡便化への要望がある。
【０００６】
本発明は、上記に鑑みてなされたものであって、太陽電池モジュールの固定作業の簡便化を図ることのできる荷揚げ機の荷台を得ることを目的とする。
【課題を解決するための手段】
【０００７】
上述した課題を解決し、目的を達成するために、本発明は、太陽電池モジュールを荷揚げする荷揚げ機の荷台であって、荷揚げされる太陽電池モジュールの受光面と平行に延びて、太陽電池モジュールを受光面側またはその裏面側から支持する支持面を有する支持部と、支持部の支持面側に立設されて、太陽電池モジュールの一側面を当接させて太陽電池モジュールが載置される載置部と、を備え、支持部のうち、支持面を挟んで載置部の反対側となる端部には、太陽電池モジュールを挟んだ両側となる位置に、載置部側に向けて延びる切欠が形成され、切欠に差し込まれて、太陽電池モジュールを支持部に対して固定する固定具をさらに備え、固定具は、支持面と対向し、支持面との間に太陽電池モジュールを挟み込む対向部と、対向部の両側から支持面側に向けて延びて切欠を貫通する貫通部と、支持面側から見た場合に、貫通部に対して太陽電池モジュールから離れる方向に突出形成され、支持部に対して支持面の裏面側に引っ掛かって固定具が切欠から抜け落ちることを規制する引っ掛かり部と、を有することを特徴とする。
【発明の効果】
【０００８】
本発明にかかる荷揚げ機の荷台によれば、太陽電池モジュールの固定作業の簡便化を図ることができるという効果を奏する。
【図面の簡単な説明】
【０００９】
【図１】図１は、本発明の実施の形態１にかかる荷揚げ機の概略構成を示す斜視図である。
【図２】図２は、太陽電池モジュールの概略構成を示す斜視図である。
【図３】図３は、荷台の概略構成を示す図である。
【図４】図４は、固定具の概略構成を示す斜視図である。
【図５】図５は、荷台に太陽電池モジュールが固定された状態を示す斜視図である。
【図６】図６は、太陽電池モジュールが固定された荷台の断面図である。
【図７】図７は、図６に示す状態よりも少ない枚数の太陽電池モジュールが荷台に固定された状態を示す断面図である。
【図８】図８は、貫通孔を用いて太陽電池モジュールを荷台に固定した例を示す図である。
【発明を実施するための形態】
【００１０】
以下に、本発明の実施の形態にかかる荷揚げ機の荷台を図面に基づいて詳細に説明する。なお、この実施の形態によりこの発明が限定されるものではない。
【００１１】
実施の形態１．
図１は、本発明の実施の形態１にかかる荷揚げ機の概略構成を示す斜視図である。荷揚げ機５０は、梯子１１、荷台１０を備える。梯子１１は、地表から屋根上面３０に沿って延びるフレーム１１ａを有する。梯子１１の上端には、滑車１１ｂが取り付けられる。梯子１１の下端には、電動ウインチ１１ｅが設けられる。荷台１０は、フレーム１１ａに案内されて上下にスライド移動可能となっている。電動ウインチ１１ｅから伸びるワイヤー１１ｄは、滑車１１ｂを経由して荷台１０の上端に連結されている。電動ウインチ１１ｅが、ワイヤー１１ｄを巻き取れば荷台１０が上方に移動し、ワイヤー１１ｄを送り出せば荷台１０が下方に移動する。
【００１２】
地表側で太陽電池モジュールを荷台１０に固定して、荷台１０を屋根上面３０側まで移動させ、屋根上面３０側で太陽電池モジュールを荷台１０から取り外すことで、太陽電池モジュールを屋根上面３０に搬送することができる。
【００１３】
図２は、太陽電池モジュール２０の概略構成を示す斜視図である。太陽電池モジュール２０は、複数の太陽電池セル２１が樹脂等で封止されて、全体として板状形状を呈している。太陽電池モジュール２０は、受光面２０ａに光が入射することで、電力を発生させる。
【００１４】
図３は、荷台１０の概略構成を示す図である。図４は、固定具３の概略構成を示す斜視図である。図５は、荷台１０に太陽電池モジュール２０が固定された状態を示す斜視図である。図６は、太陽電池モジュール２０が固定された荷台１０の断面図である。荷台１０は、支持部２、載置部４を備える。荷台１０には、図５で示すように太陽電池モジュール２０が固定される。
【００１５】
支持部２は、全体として板状形状を呈する。支持部２は、太陽電池モジュール２０の受光面２０ａと平行に延びて、太陽電池モジュール２０を受光面２０ａ側またはその裏面側から支持する支持面２ｃを有する。
【００１６】
載置部４は、支持部２の下端において支持面２ｃ側に立設されている。載置部４には、図５に示すように、太陽電池モジュール２０の一側面２０ｃ（図２も参照）を当接させて太陽電池モジュール２０が載置される。
【００１７】
支持部２のうち、支持面２ｃを挟んで載置部４の反対側となる端部（上端）には、載置部４側に向けて延びる２本の切欠２ａが形成される。切欠２ａが形成される位置は、図５に示すように、固定される太陽電池モジュール２０を挟んだ両側となる位置である。
【００１８】
切欠２ａに固定具３を差し込むことで、載置部４に載置された太陽電池モジュール２０が荷台１０に固定される。固定具３は、図４に示すように、対向部３ａ、貫通部３ｂ、引っ掛かり部３ｃと、を有する。
【００１９】
対向部３ａは、棒状形状を呈している。対向部３ａは、支持部２の支持面２ｃと対向して、支持面２ｃとの間に太陽電池モジュール２０を挟み込む。貫通部３ｂは、対向部３ａの両側から支持面２ｃ側に向けて延びる。貫通部３ｂは、対向部３ａと支持面２ｃとの間に太陽電池モジュール２０を挟み込んだ状態で、切欠２ａを貫通可能な長さで形成されている。引っ掛かり部３ｃは、支持面２ｃ側から見た場合に、貫通部３ｂに対して太陽電池モジュール２０から離れる方向に突出形成される。
【００２０】
ここで、図６に示すように、切欠２ａの幅Ａは、貫通部３ｂの幅Ｂよりも広いが、貫通部３ｂと引っ掛かり部３ｃとを合わせた幅Ｃよりも小さくなっている。そのため、支持部２の上方から、貫通部３ｂ部分を切欠２ａに差し込めば、図６に示す状態となる。この状態では、引っ掛かり部３ｃが支持面２ｃの裏面側に引っ掛かって、固定具３が支持面２ｃ側に抜け落ちることが規制される。これにより、太陽電池モジュール２０が手前側に落下することが防がれる。また、左右へのずれも貫通部３ｂによって防がれる。これにより、荷台１０の上昇時の振動や風の影響によって太陽電池モジュール２０が落下することを防ぐことができる。
【００２１】
貫通部３ｂには、貫通部３ｂの貫通方向に沿って複数の引っ掛かり部３ｃが形成されている。これにより、支持部２に引っ掛かる引っ掛かり部３ｃを変更することで、対向部３ａと支持面２ｃとの距離を変更することができる。
【００２２】
図７は、図６に示す状態よりも少ない枚数の太陽電池モジュール２０が荷台１０に固定された状態を示す断面図である。図７に示すように、支持部２に引っ掛かる引っ掛かり部３ｃを選択することで、対向部３ａと支持面２ｃとの距離を、固定される太陽電池モジュール２０の枚数に合わせることができ、太陽電池モジュール２０の固定の安定化を図ることができる。
【００２３】
また、複数形成された引っ掛かり部３ｃのうち少なくとも１つは、対向部３ａとの距離Ｄから支持部２の厚さＥを差し引いた長さ（図６も参照）が、太陽電池モジュール２０の２枚の厚さよりも大きくなっている。これにより、対向部３ａと支持面２ｃとの間に複数枚の太陽電池モジュール２０を固定するスペースが確保される。本実施の形態では、引っ掛かり部３ｃと対向部３ａとの距離から支持部２の厚さを差し引いた長さが、太陽電池モジュール２０の１枚の厚さとなる位置にも引っ掛かり部３ｃが形成されている。これにより、１枚の太陽電池モジュール２０であっても、安定して荷台１０に固定することができる。
【００２４】
図３に戻って、支持部２には、切欠２ａよりも載置部４側に２つの貫通孔２ｂが形成されている。貫通孔２ｂが形成される位置は、図５に示すように、固定される太陽電池モジュール２０を挟んだ両側となる位置である。左右方向への貫通孔２ｂの幅は、貫通部３ｂと引っ掛かり部３ｃとを合わせた幅よりも大きい幅で形成されている。これにより、貫通孔２ｂに、貫通部３ｂと引っ掛かり部３ｃとを貫通させることができる。
【００２５】
貫通孔２ｂからは、載置部４側に向けて延びるスライド用切欠２ｄが形成されている。左右方向へのスライド用切欠２ｄの幅は、貫通部３ｂの幅よりも大きいが、貫通部３ｂと引っ掛かり部３ｃとを合わせた幅よりも小さくなっている。貫通孔２ｂとスライド用切欠２ｄとで、Ｌ字形状の孔が形成される。
【００２６】
図８は、貫通孔２ｂを用いて太陽電池モジュール２２を荷台１０に固定した例を示す図である。貫通部３ｂと引っ掛かり部３ｃとを貫通孔２ｂに貫通させてから、固定具３を下方にスライド移動させることで、スライド用切欠２ｄに貫通部３ｂが差し込まれる。この状態では、切欠２ａを用いた場合と同様に、引っ掛かり部３ｃが支持面２ｃの裏面側に引っ掛かって、固定具３が支持面２ｃ側に抜け落ちることが規制される。これにより、太陽電池モジュール２２が手前側に落下することが防がれる。また、左右へのずれも貫通部３ｂによって防がれる。
【００２７】
また、図５に示す例と、図８に示す例では、荷台１０に固定される太陽電池モジュール２０，２２の上下方向への長さが異なっている。図８に示すように、切欠２ａまで届かない長さの太陽電池モジュール２２であっても、切欠２ａよりも載置部４側に形成された貫通孔２ｂに固定具３を挿入することで、荷台１０に安定して固定することができる。すなわち、外形寸法が異なる太陽電池モジュール２０，２２であっても、荷台１０を交換せずに安定して固定することができる。
【００２８】
また、固定具３の挿入やスライド移動といった単純な工程で太陽電池モジュール２０，２２を荷台１０に固定することができるので、屋根上面３０への搬送作業の簡便化や時間の短縮を図ることができる。これにより、太陽電池モジュール２０，２２の屋根上面３０への設置作業の簡便化や設置コストの抑制を図ることができる。
【００２９】
なお、図５に示した例において、太陽電池モジュール２０の固定のより一層の安定化を図るために、貫通孔２ｂにも固定具３を挿入して、２つの固定具３で太陽電池モジュール２０を固定してもよい。
【００３０】
また、本実施の形態では、支持部２に切欠２ａと貫通孔２ｂとを形成する例を挙げて説明したが、いずれか一方のみが支持部２に形成されていてもよい。また、貫通孔２ｂを上下方向に複数並べて形成してもよい。この場合、太陽電池モジュールの長さの違いに対して、より柔軟に対応することが可能となる。
【産業上の利用可能性】
【００３１】
以上のように、本発明にかかる荷揚げ機の荷台は、太陽電池モジュールを搬送する荷揚げ機の荷台に有用である。
【符号の説明】
【００３２】
２  支持部、２ａ  切欠、２ｂ  貫通孔、２ｃ  支持面、２ｄ  スライド用切欠、３  固定具、３ａ  対向部、３ｂ  貫通部、３ｃ  引っ掛かり部、４  載置部、１０  荷台、１１  梯子、１１ａ  フレーム、１１ｂ  滑車、１１ｄ  ワイヤー、１１ｅ  電動ウインチ、２０，２２  太陽電池モジュール、２０ａ  受光面、２０ｃ  一側面、２１  太陽電池セル、３０  屋根上面、５０  荷揚げ機。
【図１】
2015221975.tif 000003
【図２】
2015221975.tif 000004
【図３】
2015221975.tif 000005
【図４】
2015221975.tif 000006
【図５】
2015221975.tif 000007
【図６】
2015221975.tif 000008
【図７】
2015221975.tif 000009
【図８】
2015221975.tif 000010